(57)【特許請求の範囲】
【請求項１】
釣竿の周面に着脱可能に取り付けられ、軸方向に形成されたスリットを有し、弾性を有するリング状の糸付着防止部材。
【請求項２】
リング状の糸付着防止部材を収納する収納ケースであって、
糸付着防止部材を嵌入し収納可能な嵌入部を有する本体部材と、
前記嵌入部を収納可能な中空部を有するカバー部材と
を備え、
前記嵌入部は糸付着防止部材を嵌入可能な嵌入溝を複数有し、
前記複数の嵌入溝は、順次径の大きいリング状の糸付着防止部材を収納可能なように、溝幅が大きくなるように形成されている、
収納ケース。
【請求項３】
前記本体部材は前記嵌入部に連続して設けられた装着部をさらに有し、
前記カバー部材は前記装着部に着脱可能に装着される、請求項２に記載の収納ケース。
【請求項４】
前記装着部は雄ネジ部を有し、前記カバー部材は開口側端部内周に前記装着部に螺合可能な雌ネジ部を有している、請求項３に記載の収納ケース。
【請求項５】
リング状の糸付着防止部材を収納する収納ケースであって、
糸付着防止部材を嵌入し収納可能な嵌入部と、前記嵌入部に連続して設けられ雄ネジ部を有する装着部とを有する本体部材と、
前記嵌入部を収納可能な中空部を有し、開口側端部内周に前記装着部に螺合可能な雌ネジ部を有し前記装着部に着脱可能に装着されるカバー部材と、
を備える収納ケース。
【請求項６】
前記カバー部材は紐部材を係止可能な係止部を頭部に有している、請求項２〜５のいずれかに記載の収納ケース。
【発明の詳細な説明】
【０００１】
【発明の属する技術分野】
本発明は、竿体の周面に釣糸がべたつくのを抑える部材、及びこれを収納する収納ケースに関する。
【０００２】
【従来の技術】
従来の釣竿には、竿体の周面に螺旋状の凸部を設けたものがある。これは、竿体の周面に水が付着した場合に釣糸が竿体の周面にべたつかないように、竿体周面と釣糸との間に隙間を設けるように処理を施したものである。
【０００３】
【発明が解決しようとする課題】
しかし、このように竿体の周面に凸部を設けるには、別途製造工程が必要となり、コストの上昇や製造工程の複雑化を招く。また、竿体周面に凸部を設けると、平滑的に外観の美しさが演出できず、意匠性に乏しい。
【０００４】
さらに、竿体周面の凸部は、例えば、降雨時や波しぶきをかぶるような場所で釣りを行う場合など、竿体の周面に水が付着する環境において釣りを行う場合に必要とされるものであり、それ以外の環境で釣りを行う場合は、特に必要とされないものである。つまり、常時竿体周面に設けておく必要も乏しいといえる。
【０００５】
本発明の課題は、必要に応じて竿体に装着でき、釣糸が竿体にべた付くのを防止する糸付着防止部材及びその収納ケースを提供することにある。
【０００６】
【課題を解決するための手段】
発明１にかかる糸付着防止部材は、釣竿の周面に着脱可能に取り付けられ、軸方向に形成されたスリットを有し、弾性を有するリング状の糸付着防止部材である。
【０００７】
この場合は、例えば、降雨時のように釣糸が竿体周面にべた付く恐れがある場合、この糸付着防止部材を釣竿のラインガイドとラインガイドとの間に取り付けて、竿体周面に凸部を形成する。この凸部が平滑な竿体周面と釣糸との間に隙間を形成して釣糸のべた付きを抑える。この結果、必要に応じて釣糸のベタツキを有効に防止できる。
【０００８】
また、竿体の周面自体は平滑な状態であり、竿体周面に様々なデザインを施すこともでき意匠性も向上する。さらに、様々な色，模様を伏した糸付着防止部材を取り付ければ、ユーザの好みに合わせて釣竿のデザインを演出できる。
【０００９】
発明２にかかる収納ケースは、リング状の糸付着防止部材を収納する収納ケースであって、糸付着防止部材を嵌入し収納可能な嵌入部を有する本体部材と、嵌入部を収納可能な中空部を有するカバー部材とを備えている。そして、嵌入部は糸付着防止部材を嵌入可能な嵌入溝を複数有し、複数の嵌入溝は、順次径の大きいリング状の糸付着防止部材を収納可能なように、溝幅が大きくなるように形成されている。
【００１０】
この場合には、釣竿に糸付着防止部材を取り付けておく必要がない場合、糸付着防止部材を嵌入部に嵌入して収納する。この結果、釣竿から取り外した糸付着防止部材を紛失するのを防止できる。また、カバー部材が本体部材に収納された糸付着防止部材が汚れてしまうのを防止する。さらに、嵌入部に設けられた複数の嵌入溝に、様々な大きさの径を有する糸付着防止部材を嵌入し収納することができる。穂先に向かってテーパー状に形成された釣竿には、様々な径を有する糸付着防止部材が必要とされる場合があるが、この場合にも、様々な糸付着防止部材を収納できる。
【００１１】
発明３にかかる収納ケースは、発明２の収納ケースであって、本体部材は嵌入部に連続して設けられた装着部をさらに有し、カバー部材は装着部に着脱可能に装着される。
【００１２】
この場合には、カバー部材を本体部材の装着部に装着して、本体部材に着脱自在に装着する。この結果、カバー部材を紛失することがない。また、取り扱いが容易になる。
【００１３】
発明４にかかる収納ケースは、発明３の収納ケースであって、装着部は雄ネジ部を有し、カバー部材は開口側端部内周に装着部に螺合可能な雌ネジ部を有している。
【００１４】
この場合には、カバー部材を装着部の雄ネジ部に螺号して、カバー部材を本体部材に着脱可能に取り付ける。
【００１５】
発明５にかかる収納ケースは、リング状の糸付着防止部材を収納する収納ケースであって、本体部材とカバー部材とを備えている。本体部材は、糸付着防止部材を嵌入し収納可能な嵌入部と、嵌入部に連続して設けられ雄ネジ部を有する装着部とを有する。カバー部材は、嵌入部を収納可能な中空部を有し、開口側端部内周に装着部に螺合可能な雌ネジ部を有し装着部に着脱可能に装着される。
【００１６】
この場合には、釣竿に糸付着防止部材を取り付けておく必要がない場合、糸付着防止部材を嵌入部に嵌入して収納する。この結果、釣竿から取り外した糸付着防止部材を紛失するのを防止できる。また、カバー部材が本体部材に収納された糸付着防止部材が汚れてしまうのを防止する。さらに、カバー部材を装着部の雄ネジ部に螺号して、カバー部材を本体部材に着脱可能に取り付ける。この結果、カバー部材を紛失することがない。また、取り扱いが容易になる。
【００１７】
発明６にかかる収納ケースは、発明２〜５のいずれかの収納ケースであって、カバー部材は紐部材を係止可能な係止部を頭部に有している。
【００１８】
この場合には、係止部に紐部材を係止して、例えば、ユーザが自分の首に紐部材をかけてこの収納ケースを持ち運ぶ。この結果、両手を同時に使う必要がある釣りを行う場合でも、収納ケースを容易に持ち運ぶことができる。
【００１９】
なお、ここで用いる紐部材としては、周知のピンオンリール等を用いてもよい。
【００２０】
【発明の実施の形態】
［第１実施形態］
以下、本発明の第１実施形態について、図面を参照しつつ説明する。
【００２１】
本発明の第１実施形態を採用した糸付着防止部材１０は、図１に示すように、ポリカーボネート等の合成樹脂からなり弾性を有するリング状の部材である。そして、軸方向にスリット１０ａが形成されている。また、本発明の第１実施形態を採用した収納ケース１は、図１及び図２に示すように、本体部材２と、釣鐘状のカバー部材３とを有している。
【００２２】
本体部材２は、円筒を軸方向に半割りした形状の嵌入部２１と、嵌入部２１の端部に嵌入部２１と一体成形された円盤状の装着部２２と、装着部２２より大径に装着部２２に連続して形成されたツマミ部２３とを有している。
【００２３】
この嵌入部２１は、糸付着防止部材１０が嵌入可能なように、糸付着防止部材１０の外径に合わせて形成されている。また、糸付着防止部材１０の軸方向の幅に合致するように、複数の嵌入溝２１ａが形成されている。ここで形成される嵌入溝２１ａの数は、特に限定されるものではなく、任意の数の嵌入溝２１ａを形成できる。装着部２２は、嵌入部２１の周径とほぼ同じ径またはそれより大きい径を有する円盤状である。そして、側周面にネジ山が形成されて雄ネジ部になっている。ツマミ部２３は、装着部２２より大径に形成された円盤状に形成されており、側周面には滑り止め用の凸部が複数形成されている。そして、この装着部２２とツマミ部２３との間に形成される段差が、後に詳しく説明するように、カバー部材３を係止する係止段となっている。
【００２４】
カバー部材３は、内部に中空部を有する釣鐘状の収納部３１と、収納部３１の頭部側端部に形成された係止部３２とを有している。収納部３１は、本体部材２の嵌入部２１を開口側から中空部内に収納可能なように形成されている。そして、収納部３１の開口側端部内周面は、本体部材２の装着部２２と螺合可能なようにネジ山３１ａが形成されている。
このように構成された糸付着防止部材１０は、図３に示すように、降雨時等、釣糸Ｌのベタツキを防止する必要がある際には、釣竿のガイドリング１０１とガイドリング１０１との間の竿体１００の周面に、スリット１０ａから差し込んで固定する。この糸付着防止部材１０は、竿体の周面に凸部を形成して釣糸Ｌと竿体１００との間に隙間を設けて、釣糸のベタツキを防止する。
【００２５】
一方、晴天時等、釣糸のベタツキを考慮する必要がない場合には、糸付着防止部材１００は釣竿から取り外しておく。取り外した糸付着防止部材１０は収納ケース１に収納する。具体的には、図１の２点鎖線に示すように、本体部２の嵌入溝２１ａに糸付着防止部材１０嵌入して収納する。収納後、嵌入部２１をカバー部材３の収納部３１内に挿入し、ネジ山３１ａを装着部２２に螺号して固定する。
【００２６】
以上のように、本発明の第１実施形態を採用した糸付着防止部材１０によれば、必要に応じて釣竿に装着することによって釣糸が竿体にべた付くのを有効に防止できる。また、この収納ケース１によれば、釣竿から取り外した糸付着防止部材１０を、容易に収納でき、糸付着防止部材１０を紛失するのを防止できる。
【００２７】
なお、必要に応じて、係止部３２に紐部材を係止し、首等から収納ケース１をぶら下げておくこともでき、収納ケース１自体の紛失も防止できる。
【００２８】
［第２実施形態］
以下、本発明の第２実施形態について、図面を参照しつつ説明する。
【００２９】
本発明の第２実施形態を採用した糸付着防止部材４０は、図４に示すように、ポリカーボネート等の合成樹脂からなり弾性を有するリング状の部材である。そして、軸方向にスリット４０ａが形成されている。このスリット４０ａを形成する糸付着防止部材４０の両端部は、それぞれハの字型に広がって形成されている。
【００３０】
また、本発明の第２実施形態を採用した収納ケースの本体部材２の嵌入部５１は、順次径の大きいリング状の糸付着防止部材４０を収納可能なように、順次溝幅Ｘが大きく形成された複数の嵌入溝５１ａを有している。
【００３１】
なお、その他の構成は第１実施形態と同様であり、説明を省略する。
【００３２】
このように構成された糸付着防止部材４０は、第１実施形態と同様の作用効果を奏する。また、スリット４０ａがハの字型に形成されているので、釣竿の竿体周面への取り付けが容易になる。さらに、この収納ケースの嵌入溝５１ａは順次溝幅Ｘが大きくなるように形成されているので、様々な径を有する糸付着防止部材を収納できる。
【００３３】
［他の実施形態］
（ａ）釣糸付着防止部材は、外通し竿のガイドリング間に任意の数取り付けるほか、中通し竿のリールと釣糸導入孔との間に取り付けてもよい。
【００３４】
（ｂ）カバー部材を透明な素材で形成してもよい。透明な素材でカバー部材を製造することにより、カバー部材内に本体部材を挿入した際、本体部材に嵌入された糸付着防止部材を目視できる。
【００３５】
（ｃ）本体部材及びカバー部材は、それぞれ円筒形，釣鐘型に限定されるものではない。例えば、四角柱や六角柱状に形成してもよい。六角柱に形成すれば、テーブル等に置いた場合に、収納ケースが自転して転がり落ちるのを防止できる。
【００３６】
（ｄ）紐部材として、ピリオンリールを用いてもよい。
【００３７】
【発明の効果】
本発明にかかる糸付着防止部材によれば、必要に応じて竿体に装着でき、釣糸が竿体にべた付くのを有効に防止することができる。また、この収納ケースによれば、不要時に取り外した糸付着防止部材を容易に収納でき、糸付着防止部材の紛失を防止できる。
【図面の簡単な説明】
【図１】  本発明の第１実施形態を採用した糸付着防止部材とその収納ケースを示した斜視図。
【図２】  図１の収納ケースの上面図。
【図３】  本発明の第１実施形態にかかる糸付着防止リングを釣竿に取り付けた場合を示す図。
【図４】  本発明の第２実施形態を採用した糸付着防止部材を示す図。
【図５】  本発明の第２実施形態を採用した収納ケースの本体部材の上面図。
【符号の説明】
１０，４０  糸付着防止部材
１  収納ケース
２  本体部材
３  カバー部材
２１，５１  嵌入部
【図１】
0003949805.tif 000002
【図２】
0003949805.tif 000003
【図３】
0003949805.tif 000004
【図４】
0003949805.tif 000005
【図５】
0003949805.tif 000006